(57)【要約】      （修正有）【課題】機器の前面側から押し込まれた場合であっても、LEDブラケットが外れることがないインターホンのLEDブラケット取付構造を提供する。【解決手段】来訪者が居住者を呼び出すために操作する玄関子機と、玄関子機からの呼び出しを報知し、それを確認した居住者が来訪者と通話するための居室親機とから構成され、居室親機は、来訪者と通話するための通話ボタン２１、通話を終了させるための終了ボタン、非常時に外部に対して報知する非常ボタン等のボタンを有し、ボタンには、LEDブラケット２１１が取り付けられるものであって、LEDブラケット２１１は、ボタンの前面側から取り付けるためのLEDブラケット収容部２１２を有し、ボタンは、LEDブラケット２１１の底面が当接する当接面と、LEDからの光をLEDブラケット２１１に照射するための照射窓を有する。【選択図】図２
2011160047.tif 000002
【特許請求の範囲】
【請求項１】
来訪者が居住者を呼び出すために操作する玄関子機と、玄関子機からの呼び出しを報知し、それを確認した居住者が来訪者と通話するための居室親機とから構成され、
前記居室親機は、前記来訪者と通話するための通話ボタン、通話を終了させるための終了ボタン、非常時に外部に対して報知する非常ボタン等のボタンを有し、前記ボタンには、LEDブラケットが取り付けられるものであって、
前記LEDブラケットは、前記ボタンの前面側から取り付けるためのLEDブラケット収容部を有し、
前記ボタンは、前記LEDブラケットの底面が当接する当接面と、LEDからの光をLEDブラケットに照射するための照射窓を有することを特徴とするインターホンのLEDブラケット取付構造。
【請求項２】
前記当接面は、前記ボタンのLEDブラケット収容部の端部から延設されて構成されることを特徴とする請求項１記載のインターホンのLEDブラケット取付構造
【請求項３】
前記LEDブラケット収容部には、前記LEDを固定するための脚を備え、前記当接面に前記脚を固定するための固定穴を有することを特徴とする請求項１又は請求項２記載のインターホンのLEDブラケット取付構造。
【発明の詳細な説明】
【技術分野】
【０００１】
本発明はインターホンのLEDブラケット取付構造に係わり、特に、通話ボタン、終了ボタン、非常ボタンのLEDブラケットを取り付ける際に、前面側から取り付けることができるインターホンのLEDブラケット取付構造に関する。
【背景技術】
【０００２】
従来のインターホン装置において、玄関子機と居室親機とで通話しているときに点灯する通話表示灯が備えられており、居住者は、当該通話表示灯を確認することにより、玄関子機との通話がおこなわれていることを視覚的に確認することができる。
【先行技術文献】
【特許文献】
【０００３】
【特許文献１】特開２００１−０１６３４０公報
【発明の開示】
【発明が解決しようとする課題】
【０００４】
しかしながら、LEDブラケットを機器（ボタン）の背面側から取り付けられ、接着等により固定しているため、ボタンを押下する際に当該LEDブラケット部分が前面側から押し込まれた場合には、LEDブラケットが外れてしまう虞があった。
【０００５】
そこで、本発明はこのような問題点に鑑み解決するためになされたもので、LEDブラケットを機器（ボタン）の前面側から装着し、ボタン側でLEDブラケットを受ける構造とすることにより、機器の前面側から押し込まれた場合であっても、LEDブラケットが外れることがないインターホンのLEDブラケット取付構造を提供することを目的とする。
【課題を解決するための手段】
【０００６】
上述の目的を達成するため、本発明の第１の態様であるインターホンのLEDブラケット取付構造は、来訪者が居住者を呼び出すために操作する玄関子機と、玄関子機からの呼び出しを報知し、それを確認した居住者が来訪者と通話するための居室親機とから構成され、居室親機は、来訪者と通話するための通話ボタン、通話を終了させるための終了ボタン、非常時に外部に対して報知する非常ボタン等のボタンを有し、ボタンには、LEDブラケットが取り付けられるものであって、LEDブラケットは、ボタンの前面側から取り付けるためのLEDブラケット収容部を有し、ボタンは、LEDブラケットの底面が当接する当接面と、LEDからの光をLEDブラケットに照射するための照射窓を有することを特徴とする。
【０００７】
また、本発明の第２の態様であるインターホンのLEDブラケット取付構造は、第１の態様において、当接面は、ボタンのLEDブラケット収容部の端部から延設されて構成されることを特徴とする。
【０００８】
また、本発明の第３の態様であるインターホンのLEDブラケット取付構造は、第１又は第２の態様において、LEDブラケット収容部には、LEDを固定するための脚を備え、当接面に脚を固定するための固定穴を有することを特徴とする。
【発明の効果】
【０００９】
請求項１の発明によれば、LEDブラケットを通話ボタンの前面側から装着し、通話ボタンの前面側から力が加わった場合であってもLEDブラケットが外れることはない。
請求項２の発明によれば、当接面が通話ボタンのLEDブラケット収容部の端部から延設するように一体的に構成されているので、背面側への押し込みに対する強度を更に得ることを可能としている。
請求項３の発明によれば、LEDブラケットを通話ボタンの前面側から装着した場合であっても、がたつきなく確実に固定することができる。
【図面の簡単な説明】
【００１０】
【図１】本発明に係る実施形態であるインターホンのLEDブラケット取付構造における居室親機の概観図である。
【図２】本発明に係る実施形態であるインターホンのLEDブラケット取付構造における居室親機のボタン部分解斜視図である。
【図３】本発明に係る実施形態であるインターホンのLEDブラケット取付構造におけるLEDブラケット斜視図である。
【図４】本発明に係る実施形態であるインターホンのLEDブラケット取付構造における通話ボタン部背面斜視図である。
【図５】本発明に係る実施形態であるインターホンのLEDブラケット取付構造における居室親機A-A断面図である。
【発明を実施するための形態】
【００１１】
以下、本発明によるインターホンのLEDブラケット取付構造を適用した好ましい形態の実施例について、図面を参照して説明する。
図１はインターホンのLEDブラケット取付構造における居室親機の概観図である。
居室親機１は、来訪者が図示しない玄関子機を操作して居住者を呼び出し、それに応答するための通話ボタン２１、通話の終了時や各種インターホン機能設定の終了時に操作するための終了ボタン２２を有している。また、通話ボタン２１には、ガイドLEDとして使用されるLEDブラケット２１１が装着されており、例えば、呼出時において、応答操作を促すために通話ボタン２１のLED２１６（LEDブラケット２１１）を点滅させて次の操作を知らせるように構成されている。
【００１２】
これを確認した居住者が、通話を開始するために通話ボタン２１を押下すると、玄関子機と通話路が形成されて通話をおこなうことができる。本発明では、LEDブラケット２１１を通話ボタン２１に装着する構造について詳述することとする。
図２は、本発明に係る実施形態であるインターホンのLEDブラケット取付構造における居室親機のボタン部分解斜視図である。
【００１３】
通話ボタン２１の中央下部には、LEDブラケット２１１を取る付けるためのLEDブラケット収容部２１２、LEDブラケット２１１の底面側が当接する当接面S1、当接面S1に設けられ、LEDブラケット２１１の背面にある脚２１４（図３のLEDブラケット斜視図参照）が固定される固定穴２１３、図示しない基板に搭載されたLED２１６からの光を機器表面側に照射させるための照射窓２１５を有している。また、通話ボタン２１の中央上部には玄関子機及び居室親機１間の通話状態のうち、送話時のみ点灯する送話表示灯（送話表示灯ブラケット）２１７が装着されている。
【００１４】
このように構成されたインターホンのLEDブラケット取付構造において、LEDブラケット２１１を通話ボタン２１の表面側からLEDブラケット収容部２１２に装着する。このとき、LEDブラケット２１１の底面が、通話ボタン２１に設けられた当接面S1に当接するため、背面側への押し込みを防止している。なお、当該当接面は、LEDブラケット収容部２１２の周囲を覆うように構成され、つまり、通話ボタン２１のLEDブラケット収容部２１２の端部から延設するように一体的に構成されているので、背面側への押し込みに対する強度を得ることを可能としている。
【００１５】
また、当接面S1には、LEDブラケット２１１の脚２１４を取り付けるための固定穴２１３が左右に設けられており、LEDブラケット２１１が通話ボタン２１のLEDブラケット収容部２１２に取り付けられると、LEDブラケット２１１の脚２１４が固定穴２１３に管嵌合されて、図４の通話ボタン部背面斜視図のように固定される。この脚２１４の部分は溶着されるため、がたつきなく確実に固定することができる。
【００１６】
このように取り付けられた状態において、図５の居室親機１の断面図に示すように、LED２１６から光が照射されると、通話ボタン２１の照射窓２１５を介してLEDブラケットに入射される。この光は屈折や反射により拡散して機器表面側へ照射され居住者が確認することが可能となる。これを確認した居住者が通話ボタン２１のLEDブラケット２１１部分を押下した場合であっても、当接面S1の作用によりLEDブラケット２１１が外れることなく使用することが可能となる。
【００１７】
なお、LEDブラケット収容部２１２は壁面S2を有している。この壁面S2は、LED２１６から照射された光がLEDブラケット２１１内で拡散した場合であっても機器内部へ光がもれることを防止している。つまり、他のLEDブラケットである送話表示灯ブラケット２１７へLED２１６からの光が入射されることがないので、居住者が誤動作していると勘違いすることを防ぐことができる。また、LEDブラケット収容部２１２は周囲全体に壁面S2を有しているので、送話表示灯ブラケット２１７だけでなく、機器の隙間、例えば、通話ボタン２１と居室親機１で構成される通話ボタン可動領域の隙間から光が漏れることを防止することができる。
なお、上記実施例では、通話ボタン２１に装着されたLEDブラケット２１１について説明しているが、これに限らず、通話を終了させるための終了ボタン、非常時に外部に対して報知する非常ボタン等の押下操作するボタンであれば同様の効果を奏する。
【符号の説明】
【００１８】
１・・・              居室親機
２１・・・            通話ボタン
２１１・・・        LEDブラケット
２１２・・・        LEDブラケット収容部
２１３・・・        固定穴
２１４・・・        脚
２１５・・・        照射窓
２１６・・・        LED
２１７・・・        送話表示灯ブラケット
２２・・・            終了ボタン
S1・・・              当接面
S2・・・              壁面
【図１】
2011160047.tif 000003
【図２】
2011160047.tif 000004
【図３】
2011160047.tif 000005
【図４】
2011160047.tif 000006
【図５】
2011160047.tif 000007